(57)【特許請求の範囲】
【請求項１】
画素の少なくとも２つの異なる色の吸収層の垂直積層体を有する減法混色ディスプレイにおいて、前記少なくとも２つの層の画素解像度が異なり、当該減法混色ディスプレイの観察側に配置された最上層がイエロー及びシアンを有し、最下層がマゼンタを有し、前記最下層が前記最上層より高い解像度を持つ、減法混色ディスプレイ。
【請求項２】
シアンを有する層が、マゼンタを有する層より低い解像度を持つ、請求項１に記載のディスプレイ。
【請求項３】
イエローを有する層が、マゼンタを有する層より低い解像度を持つ、請求項１に記載のディスプレイ。
【請求項４】
前記最下層が追加的に黒を有する、請求項１に記載のディスプレイ。
【請求項５】
黒を有する追加層を更に有する、請求項１に記載のディスプレイ。
【請求項６】
前記画素の形状が、正方形又は六角形の一方である、請求項１に記載のディスプレイ。
【請求項７】
前記ディスプレイが、反射型又は透過型ディスプレイである、請求項１に記載のディスプレイ。
【請求項８】
前記ディスプレイが、電気泳動、エレクトロウェッティング又はエレクトロクロミックディスプレイである、請求項１に記載のディスプレイ。
【請求項９】
請求項１ないし８のいずれか一項に記載のディスプレイと、ビデオ信号を受信し、前記ディスプレイ層の解像度によって前記ビデオ信号をスケーリングし、前記スケーリングされた入力ビデオ信号によって前記ディスプレイを制御する制御ユニットとを有する表示システム。
【請求項１０】
請求項１ないし８のいずれか一項に記載のディスプレイを制御する方法において、ビデオ信号を受信するステップと、前記ディスプレイ層の解像度によって前記ビデオ信号をスケーリングするステップと、前記スケーリングされたビデオ信号によって前記ディスプレイを制御するステップとを有する方法。
【発明の詳細な説明】
【技術分野】
【０００１】
本発明は、少なくとも２つの異なる色の吸収層の垂直スタックを有するディスプレイに関する。
【０００２】
本発明は、このようなディスプレイを有する表示システム及びこのようなディスプレイを制御する方法にも関する。
【背景技術】
【０００３】
少なくとも２つの異なる色の吸収層の垂直スタックを有するディスプレイの例は、ＵＳ２００２／０１７１６２０に開示されている。より正確には、ＵＳ２００２／０１７１６２０は、バックライトと合体された透過型カラー電気泳動ディスプレイに関する。前記ディスプレイは、複数の横に隣接した画素を持つ。各画素は、直接的に上下に垂直にスタックされた２以上のセルからなる。スタック内の各セルは、前記ディスプレイのセルの層を一緒に形成する横に隣接した同様のセルをも持つ。前記セルは、光透過流体と、可視スペクトルの一部を吸収することができる荷電色素粒子とを含み、体積内の各セルは、前記体積内の他のセル内の粒子の色と異なる色を持つ粒子を含む。画素の色は、前記バックライトから発生し、前記スタック、したがって外延的減法混色ディスプレイ内の各セルを横切る累積効果を生き残る可視スペクトル部分により決定される。ＵＳ２００２／０１７１６２０の前記ディスプレイに対する適切なセル色は、３層ディスプレイを生じる、シアン（Ｃ）、マゼンタ（Ｍ）及びイエロー（Ｙ）を含む。ＣＭＹにおいて、マゼンタ＋イエローは赤を生成し、マゼンタ＋シアンは青を作り、シアン＋イエローは緑を生成する。各セルにより透過された光の量及び色は、前記セル内の前記色素粒子の位置及び色により制御される。前記位置は、前記セルの電極に対する適切な電圧の印加により管理される。前記色素粒子が前記セルに入る光の経路内に位置する場合、前記粒子は、この光の選択された部分を吸収し、残りの光が前記セルを透過する。前記色素粒子が前記セルに入る光の経路から実質的に取り除かれている場合、前記光は、前記セルを通過し、大きな見える変化無しで現れることができる。したがって、観察者により見られる前記光の色／スペクトルは、前記垂直スタック内の前記セルの各々における粒子の分布に依存する。前記スタック内の前記セルの各々は、画素自体と同じ横面積を占めるので、透過効率は、色を生成するのにサブ画素の隣り合った配置に依存する解決法のものより大幅に高いことが可能である。
【０００４】
しかしながら、ＵＳ２００２／０１７１６２０に開示されたディスプレイの問題は、それぞれのセル層における個別の画素を正確に垂直に位置合わせする必要性、及び画素間のカラークロストークを防止するために中間光透過窓の厚さを最小化する必要性のため、製造するのが難しい可能性があることである。
【発明の概要】
【発明が解決しようとする課題】
【０００５】
本発明の目的は、この問題を克服又は少なくとも軽減し、改良された減法混色ディスプレイを提供することである。
【課題を解決するための手段】
【０００６】
以下の記載から明らかになるこの目的及び他の目的は、添付の請求項に記載のディスプレイ、このようなディスプレイを有する表示システム及びこのようなディスプレイを制御する方法により達成される。
【０００７】
第１の態様によると、画素の少なくとも２つの異なる色の吸収層の垂直スタックを有するディスプレイが提供され、前記少なくとも２つの層の画素解像度が異なることを特徴とする。
【０００８】
本発明は、人間の視覚がクロミナンス細部より輝度細部に対して高感度であるので、幾つかの層の解像度が観察者により知覚されるディスプレイ出力に大きく作用することなく減少されることができるという理解に基づく。したがって、クロミナンスを決定する色を有する層は、輝度を決定する色を有する層より低い解像度を持つことができる。例えば、シアン及び／又はイエローを有する層は、マゼンタを有する層より低い解像度を持つことができる。人間の目は、緑より、それぞれイエロー及びシアンにより支配される青及び赤に対して低い解像度感度（少ない錐体視細胞）を持つのに対し、人間の目（特に桿体視細胞）は、マゼンタにより主に支配される輝度に対して高い解像度を知覚することができる。より低い画素解像度の層を使用することができることは、前記ディスプレイの製造を非常に容易化する。マゼンタ画素に対するシアン画素の面積比は、例えば４：１である（すなわちシアン画素の面積がマゼンタ画素の面積の４倍である、又は換言すると、シアン画素解像度がマゼンタ画素解像度の１／４である）ことができるのに対し、マゼンタ画素に対するイエロー画素の面積比は、実験により確認されるように、１６：１に至ることができる（すなわちイエロー画素の面積がマゼンタ画素の面積の１６倍に至る、又は換言するとイエロー画素解像度がマゼンタ画素解像度の１／１６に至る）。すなわち、１つのイエロー画素に対して、例えば、４つのシアン画素及び１６のマゼンタ画素が存在する。
【０００９】
好ましくは、最低解像度を持つ層は、前記ディスプレイの観察側に配置される最上層であり、より高い解像度を持つ層は、前記スタックにおいて徐々により下に配置される。したがって、最高解像度を持つ層は、最下層になる。これは、画素間のクロストーク及び視差効果を低減する。
【００１０】
前記ディスプレイの好適な実施例において、最上層はイエローを有し、中間層はシアンを有し、最下層はマゼンタを有し、前記最下層は前記中間層より高い解像度を持ち、前記中間層は、前記最上層より高い解像度を持つ。このようなディスプレイは、上で論じられたように単純化された製造及び減少されたクロストークの両方から利益を得る。代替的には、前記最上層は、イエロー及びシアンの両方を有することができ、これにより前記中間層が省略されることができ、これは、ずれ（３つの代わりに２つの層）及び前記ディスプレイの厚さの両方を減少する。純粋な黒は、前記マゼンタ層又は専用の追加層に加えられることができる。
【００１１】
更に、少なくとも１つの層は、前記少なくとも１つの層の画素内のコレクタ領域を覆う遮光体を備えることができる。前記コレクタ領域は、前記画素が透明状態である場合に色粒子が収容される画素の領域である。それに加えて、前記遮光体は、前記コレクタ領域の色が前記画素の状態に依存して変更しないことを保証するために使用される。前記遮光体は、前記コレクタ領域のコレクタ電極により分離又は形成されることができる。好ましくは、マゼンタ、シアン及びイエロー層を持つディスプレイに対して、前記マゼンタ層は最高解像度を持つべきであるので、前記遮光体は、前記マゼンタ層にのみ備えられる。そうでなければ、遮光体は、３つ全ての層に備えられることができる。
【００１２】
更に、前記画素の形状は、正方形及び六角形の一方であることができる。正方形の画素は、直接的なアプローチである。しかしながら、ハニカムパターンに配置された六角形の画素を持つレイアウトは、斜めの線を表示することを容易にし、特にマゼンタ画素が各シアン及びイエロー画素の中央に厳密に配置されることができるので、スケーリングが見えにくくなることができ、異なる層の前記コレクタ領域が正方形の画素を用いるアプローチと同程度に垂直に位置合わせされていないので、遮光体が見えにくくなりうる。
【００１３】
本発明による前記ディスプレイは、反射型又は透過型ディスプレイであることができる。後者の場合、前記ディスプレイは、好ましくは、バックライトと一体化される。更に、本発明によるディスプレイは、電気泳動、エレクトロウェッティング又はエレクトロクロミックディスプレイであることができる。
【００１４】
他の態様によると、上の記載によるディスプレイと、ビデオ信号を受信し、ディスプレイ層の解像度によって前記ビデオ信号をスケーリングし、前記スケーリングされた画像信号により前記ディスプレイを制御する制御ユニットとを有する表示システムが提供される。この態様は、本発明の前に論じられた態様と同様の利点を示す。
【００１５】
前記スケーリングは、全ての色が同じ解像度を持つ典型的なソースビデオ（例えばＲＧＢ）信号を、異なる解像度の色吸収層を持つ本発明のディスプレイに適合する。前記スケーリングは、例えば、より高い解像度画素（例えばマゼンタ画素）のグループにわたり、１以上のより低い解像度画素（例えばシアン又はイエロー）のスケーリング特性を平均することにより実行されることができる。前記スケーリング特性は、光学密度、輝度、ビットレベル等であることができる。
【００１６】
他の態様によると、上の記載によるディスプレイを制御する方法が提供され、前記方法は、ビデオ信号を受信するステップと、前記ディスプレイ層の解像度によって前記ビデオ信号をスケーリングするステップと、前記スケーリングされたビデオ信号によって前記ディスプレイを制御するステップとを有する。この態様は、本発明の前述の態様と同様の利点を示す。
【００１７】
本発明の例は、添付の図面を参照してここに詳細に記載される。
【図面の簡単な説明】
【００１８】
【図１ａ】本発明の一実施例による３つの色吸収層を持つディスプレイの側面図である。
【図１ｂ】図１ａのディスプレイの上面図である。
【図２ａ】図１ａ−１ｂのディスプレイ内の典型的な画素の側面図である。
【図２ｂ】図１ａ−１ｂのディスプレイ内の典型的な画素の側面図である。
【図３ａ】本発明の他の実施例による２つの色吸収層を持つディスプレイの側面図である。
【図３ｂ】図３ａのディスプレイの上面図である。
【図４ａ】図３ａ−３ｂのディスプレイ内の典型的な画素の側面図である。
【図４ｂ】図３ａ−３ｂのディスプレイ内の典型的な画素の側面図である。
【図４ｃ】図３ａ−３ｂのディスプレイ内の典型的な画素の側面図である。
【図４ｄ】図３ａ−３ｂのディスプレイ内の典型的な画素の側面図である。
【図５】本発明の一実施例による表示システムの概略的なブロック図である。
【図６ａ】本発明の実施例によるディスプレイ制御方法のフローチャートである。
【図６ｂ】本発明の実施例によるディスプレイ制御方法のフローチャートである。
【図７】代替的な画素形状及びレイアウトを示す上面図である。
【発明を実施するための形態】
【００１９】
これらの図が概略的であり、正しい縮尺比で描かれていないことに注意すべきである。これらの図の部分の相対的な寸法及び比は、図面の明確性及び利便性のため、大きさを誇張又は減少して示している。
【００２０】
図１ａ−１ｂは、本発明の一実施例による減法混色電気泳動ディスプレイ１０を示す。ディスプレイ１０は、３つの垂直にスタックされた層１４ａ、１４ｂ及び１４ｃを有する。要素１６は、前記スタックの裏に設けられる。反射型ディスプレイの場合、要素１６は、好ましくはリフレクタである。透過型ディスプレイの場合、要素１６は、好ましくは、バックライトのような光源である。
【００２１】
前記スタックの各層１４は、前記層内に隣接して配置された複数の画素１８を有する。典型的な画素１８は、図２ａ−２ｂにより詳細に図示される。画素１８は、ここではコレクタ電極２０により示される少なくとも１つのアドレス可能な電極を有する。電極２０は、例えば図２ａ−２ｂのように画素１８の上側の角に配置されることができる。代替的には、前記画素の側壁に沿って配置されることができる。画素１８は、画素１８内で移動可能な荷電色吸収粒子２４の懸濁液を更に持つ。電極２０の電圧を適切に変更することにより、画素１８は、分散又は吸収状態（図２ａ）と集合又は透明状態（図２ｂ）との間で及び複数の中間状態に切り替わることができる。前記分散状態において、電圧は電極２０に印加されず、粒子２４は、一般に、画素１８の水平領域のほとんどを覆う観察領域２６において画素１８の全体に一様に分散されることができる。この状態における画素１８を横切る光の一部は、画素１８内の粒子２４の色に依存して吸収されうる。例えばマゼンタ粒子及び入射白色光の場合、前記白色光の波長は、画素１８からの光が観察者に対してマゼンタに見えるように吸収される。他方で、前記集合状態において、電圧が電極２０に印加され（例えば正の粒子２４に対して負の電圧又は負の粒子２４に対して正の電圧）、これにより粒子２４は、電極２０により画素１８の水平領域の制限された部分を覆うコレクタ領域２８に引き付けられる。この状態において、画素１８は本質的に透明であり、画素１８に進む光は、実質的に変化されずに画素１８を通過する。電極２０は、ここで、コレクタ領域２８の知覚される色が前記画素状態に依存して変化しないようにコレクタ領域２８を覆う遮光体として機能することができる。このため、電極２０は好ましくは黒い。代替的には、専用遮光体が設けられることができる。中間状態（図示されない）において、粒子２４の一部が集められ、粒子２４の一部は分散される。画素に印加される電圧が他の画素の電気力線の妨害を引き起こさないことを防止するために、前記画素の基板、電極、懸濁液又は他の要素の誘電率及び導電率は、適切に選択されるべきである。また、追加の電極は、前記粒子の制御可能性を高めるために設けられることができる。
【００２２】
図１ａ−１ｂに戻ると、ディスプレイ１０の最下層１４ａはマゼンタを有し、すなわち層１４ａ内の画素１８ａはマゼンタ粒子を有する。更に、中間層１４ｂはシアンを有し、ディスプレイ１０の観察側における最上層１４ｃはイエローを有する。異なる層１４ａ、１４ｂ及び１４ｃ内の画素２０の状態を適切に切り替えることにより、観察者により知覚される様々な出力色が達成されることができる。すなわち、画素１８の特定のスタックの色は、各層１４を横切る累積効果を生き残る入力光の可視スペクトル部分により決定される（減法混色ディスプレイ）。
【００２３】
白色光の入力に基づき、層１４ａ、１４ｂ及び１４ｃの異なる状態に依存する様々な出力色は、以下に表１にリストされる。表１において、"−"は透明状態を示し、"Ｘ"は吸収状態を示し、"Ｗ"は白を示し、"Ｍ"はマゼンタを示し、"Ｃ"はシアンを示し、"Ｙ"はイエローを示し、"Ｂ"は青を示し、"Ｒ"は赤を示し、"Ｇ"は緑を示し、"Ｋ"は黒を示す。表１にリストされた方式は、通常、ＣＭＹＫ色モデルと称され、Ｃはシアン、Ｍはマゼンタ、Ｙはイエロー、Ｋは黒を示す。
【表１】
0005654236.tif 000002
【００２４】
本発明によると、異なる層１４ａ、１４ｂ及び１４ｃは、異なる画素解像度を持つ。図１の実施例において、マゼンタ画素１８ａに対するシアン画素１８ｂの面積比は４：１であり、マゼンタ画素１８ａに対するイエロー画素１８ｃの面積比は１６：１である。すなわち、１つのイエロー画素１８ｃに対して、４つのシアン画素１８ｂ及び１６のマゼンタ画素１８ａが存在する。図１ｂにおいて、マゼンタ画素１８ａは点線で示され、シアン画素１８ｂは破線で示され、イエロー画素１８ｃは実線で示される。
【００２５】
シアン及びイエローの低い解像度にもかかわらず、ディスプレイ１０は、上で論じられたように、全ての層が同じ解像度を持つ従来のディスプレイと同様の性能を持つ。より低い画素解像度の層を使用することができることは、ディスプレイ１０の製造を非常に容易化する。
【００２６】
追加の利益は、解像度によって前記スタック内の層１４を、最低解像度（ここではイエロー層１４ｃ）を上に最高解像度を持つ層（ここではマゼンタ層１４ａ）を下に、ソートすることにより実現される。これは、画素間のクロストーク及び視差効果を減少する。特に、全ての層が同じ解像度を持つ従来のディスプレイにおいて、"斜めの"光ビームが（反射型ディスプレイに）出入りする途中に異なる画素を通る確率が高く、これは視差効果及び画素クロストークを引き起こす。しかしながら、本発明のディスプレイにおいて、上の画素は下の画素より大きいので、出入りする途中に異なる画素を通る光ビームの確率は減少される。これは、出入りする途中に同じイエロー画素１８ｃを通る典型的な光線追跡３２により図示される。
【００２７】
マゼンタ層１４ａが最高解像度を持つので、上述の専用遮光体は、好ましくは、マゼンタ層１４ａのみに設けられる。そうでなければ、遮光体は、３つ全ての層１４ａ−ｃに設けられることができる。
【００２８】
図３ａ−３ｂは、本発明の他の実施例による減法混色電気泳動ディスプレイ１０を図示する。図１ａ−１ｂのディスプレイとは対照的に、このディスプレイは、２つの層１４のみを有し、上層１４ｂｃはイエロー及びシアンの両方を有し、下層１４ａはマゼンタを有する。これは、層１４ｂｃにおいて異なる画素設計を生じる。典型的な画素１８ｂｃは、図４ａ−４ｄにより詳細に描かれる。画素１８ｂｃは、２つのアドレス可能なコレクタ電極２０ｂ及び２０ｃを有する。電極２０ｂ及び２０ｃは、好ましくは、画素１８ｂｃの上側の対向する角に配置される。代替的には、これらは、画素１８ｂｃの対向する側壁２２に沿って配置されることができる。画素１８ｂｃの懸濁液は、色以外に少なくとも１つの他の性質が異なるシアン及びイエローの粒子２４ｂ及び２４ｃの両方を更に有する。この例において、シアン粒子２４ｂは正の電荷及び高い可動性を持ち、イエロー粒子２４ｃは負の電荷及び低い可動性を持つ。電極２０ｂ及び２０ｃの電圧Ｖｂ、Ｖｃ（電圧レベル、継続時間等）を適切に変更することにより、画素１８ｂｃは、少なくとも４つの状態間で切り替わることができる。第１の状態（図４ａ）において、Ｖｂ＝−ＶかつＶｃ＝＋Ｖであり、これによりシアン粒子２４ｂは、電極２０ｂによりコレクタ領域２８ｂに引き付けられ、イエロー粒子２４ｃは、電極２０ｃによりコレクタ領域２８ｃに引き付けられる。この状態において、画素１８ｂｃは、本質的に透明であり、画素１８ｂｃに衝突する光は、実質的に変化されずに画素１８ｂｃを通過する。この後に、電界が逆転される。パルスが短い場合、観察領域２６は、電極２０ｃに向かう面内方向に移動する迅速なシアン粒子２４ｂのみによって占められ（図４ｂ）、より遅いイエロー粒子２４ｃはコレクタ領域２４ｃに又はその近くに残る。この第２の状態において、白色光の入力に対して、画素１８ｂｃは、観察者に対してシアンに見える（上の表１を参照）。他方で、パルスが長い場合、迅速なシアン粒子２４ｂはコレクタ領域２４ｃに集められ（図４ｃ）、観察領域２６は、より遅いイエロー粒子２４ｂのみにより占められる。したがって、この第３の状態において、画素１８ｂｃは、観察者に対してイエローに見える。最後に、（粘着を防ぐ）前記粒子のブラウン運動を促進するＡＣ"振動"又は他の手段と一緒に、中間パルスを印加することにより、混合状態が達成されることができ、全ての粒子２４ｂ及び２４ｃが、観察領域２６内の画素１８ｂｃ全体に分散される。この第４の状態において、画素１８ｂｃは、観察者に対して緑に見える。オプションとして、各電極２０は、上で論じられたように、遮光体（図示されない）を設けられることができる。画素に印加された電圧が他の画素内の電気力線の妨害を引き起こさないことを防ぐために、前記画素の基板、前記電極、前記懸濁液又は他の要素の誘電率及び導電率は、適切に選択されるべきである。また、各セル内の異なる色粒子を制御するのに使用されることができる極性及び可動性に加えて他の性質は、電荷強度、閾値電界、双安定性又はこれらの組み合わせを含む。また、追加の電極が、前記異なる色粒子の制御可能性を高めるために設けられることもできる。
【００２９】
図３ａ−３ｂに戻ると、上のシアン及びイエロー層１４ｂｃは、本発明によって、マゼンタ層１４ａより低い画素解像度を持つ。典型的なディスプレイにおいて、マゼンタ画素１８ａに対するシアン及びイエロー画素１８ｂｃの面積比は４：１である。換言すると、１つのシアン及びイエロー画素１８ｂｃに対して、４つのマゼンタ画素１８ａが存在する。したがって、図３ａ−３ｂのマゼンタ画素に対するイエロー画素の面積比は、図２ａ−２ｂより低い（１６：１と比較して４：１）。図３ｂにおいて、マゼンタ画素１８ａは点線で示され、シアン及びイエロー画素１８ｂｃは実線で示される。上述のように、減少された解像度にもかかわらず、表示性能は十分に適切である。
【００３０】
図３ａ−３ｂのディスプレイは、更に、上で論じられた図１ａ−１ｂのディスプレイと同様の利点、すなわち単純化された製造、減少された視差及び減少されたクロストークを示す。加えて、図３ａ−３ｂのディスプレイは、１つの層が省略されるので、薄くされることができる。また、３層の代わりに２層のみがスタックされ、位置合わせされなければならず、これは、ずれに対するリスクを減少させる。
【００３１】
上に示された両方のディスプレイ実施例において、純粋な黒が加えられることができる。純粋な黒を加えることが望ましい１つの理由は、シアン、マゼンタ及びイエロー色素の混合物が純粋な黒を生成せず、濃暗色を生成することである。純粋な黒を加える直接的なアプローチは、黒い粒子を有する画素を持つ追加の層を含むことである。他のアプローチにおいて、異なる電荷を持つマゼンタ及び黒の粒子の両方が、図４ａ−４ｄに関連して開示されるタイプの画素に導入される。このような画素の層は、上で示された両方のディスプレイ実施例において使用されることができる。黒は輝度を決定するので、黒は、高い解像度、好ましくは上のマゼンタと同じ解像度を持つべきである。
【００３２】
図５に示されるように、本発明のディスプレイ１０は、有利には、ディスプレイ１０に加えて前記ディスプレイに結合されたディスプレイ制御ユニット５２を更に有する表示システム５０に含まれる。ＣＭＹディスプレイ１０に対する制御ユニット５２の典型的な動作は、図６ａ及び６ｂに関連して記載される。
【００３３】
図６ａは、ディスプレイ１０を制御する第１の方法のフローチャートであり、前記方法は、有利には、ディスプレイ制御ユニット５２により実行される。ステップ５４ａにおいて、従来のデジタル赤、緑、青（ＲＧＢ）ビデオ信号が受信され、前記ビデオ信号は、ディスプレイ１０に表示されるべき画像を表す。前記従来のデジタルＲＧＢビデオ信号において、全ての色は、典型的には、同じ解像度を持つ。ステップ５６ａにおいて、ガンマ機能が、前記受信されたＲＧＢ信号に適用され、輝度領域のＲ、Ｇ及びＢ成分を生じる。前記Ｒ、Ｇ及びＢ成分は、次いで、ステップ５８ａにおいてＣ、Ｍ及びＹ信号に変換される。前記変換は、例えば、Ｃ＝１−Ｒ、Ｍ＝１−Ｇ、Ｙ＝１−Ｂであることができる。代替的には、ルックアップテーブル又は他の既知の変換方法が使用されることができる。次いで、スケーリング機能が、ステップ６０ａにおいて適用され、ここで前記Ｃ、Ｍ及びＹ信号は、対応する層の解像度によってスケーリングされ、信号Ｃ'、Ｍ'、Ｙ'を生じる。マゼンタは一般に最高解像度を持つので、したがって、マゼンタは通常は前記スケーリングにより変更されず、この場合、Ｍ'＝Ｍであることに注意すべきである。スケーリングに対して、いかなる既知の適切な方法、例えば平均化、低域通過フィルタリング又はラグランジュ補間が使用されることができる。また、前記適切な方法は、ビデオ画像全体のより小さな又はより大きなサブセットを使用することができる。駆動信号ＶＣ、ＶＭ、ＶＹは、この場合、前記Ｃ'、Ｍ'及びＹ'信号に基づく計算された信号である（ステップ６２ａ）。駆動信号を計算する様々な方法が既知であり、本発明において使用されることができる。前記駆動信号は、例えば、前記ディスプレイの駆動方法に依存して、（電圧又は電流）パルス高、パルス持続時間、デューティサイクル、周波数又はこれらの組み合わせにより表わされることができる。最後に、ステップ６４ａにおいて、ディスプレイ１０は、計算された駆動信号ＶＣ、ＶＭ、ＶＹによって制御される。
【００３４】
図６ｂは、ディスプレイ１０を制御する第２の方法のフローチャートであり、前記方法は、有利には、ディスプレイ制御ユニット５２により実行される。ステップ５４ｂにおいて、従来のデジタル赤、緑、青（ＲＧＢ）ビデオ信号が受信される。ステップ５６ｂにおいて、ガンマ機能が適用され、線形輝度領域においてＲ、Ｇ及びＢ成分を生じる。前記Ｒ、Ｇ及びＢ成分は、次いで、ステップ５７ｂにおいて光学密度領域に変換される。光学密度ＯＤは、典型的には、ＯＤＸ＝−ｌｏｇ（Ｘ）により与えられ、ここでＸは前記線形輝度領域における値である。Ｒ、Ｇ及びＢに対する光学密度は、次いで、例えばマトリクス演算又はルックアップテーブルを用いて、Ｃ、Ｍ及びＹに対する光学密度（ＯＤＣ、ＯＤＭ、ＯＤＹ）に変換される。次いで、スケーリング機能がステップ６０ｂにおいて使用され、前記Ｃ、Ｍ及びＹに対する光学密度が、対応する層の解像度によってスケーリングされ、ＯＤＣ'，ＯＤＭ'，ＯＤＹ'を生じる。上述のように、ＯＤＭ'は通常はＯＤＭに等しい。典型的なスケーリング動作において、マゼンタ画素の１６倍大きいイエロー画素の光学密度は、元のビデオ画像内の１６画素のイエロー光学密度を平均することにより得られる。駆動信号ＶＣ、ＶＭ、ＶＹは、次いで、Ｃ、Ｍ及びＹに対するスケーリングされた光学密度に基づいて計算された信号である（ステップ６２ｂ）。最後に、ステップ６４ｂにおいて、ディスプレイ１０は、計算された駆動信号ＶＣ、ＶＭ、ＶＹによって制御される。
【００３５】
上記の方法の変形例は、前記ガンマ機能（ステップ５６）を省略すること、スケーリング後にＲＧＢからＣＭＹに変換すること、（スケーリングの前及び／又は後に対応する変換を用いて）ＣＩＥＬａｂ領域又は他の同様の適切な領域においてスケーリングすること等を含む。他の変形例において、ソースビデオ信号は、ＲＧＢとは異なって、例えば、輝度／クロミナンスコード（例えばＹＵＶ）に又は直接的にＣＭＹとして符号化されることができる。後者の場合、上のＲＧＢからＣＭＹへの変換は省略されることができ、前記スケーリングは、ＣＭＹ領域の１つ（ビットレベル、線形輝度又は光学密度）に直接的に行われることができる。
【００３６】
図１ｂ及び３ｂに図示されるように、正方形の水平断面を持つ画素を使用する直接的なアプローチの代わりに、ハニカムパターンに配置された六角形画素１８を持つレイアウトが、図７に示されるように、有利に使用されることができる。正方形画素を用いるアプローチと比較して、この設計は、製造するのに幾らか要求が厳しいかもしれないが、斜めの線を表示することを本質的に容易にする。更に、スケーリングは、特にマゼンタ画素１８ａが各シアン画素１８ｂ及びイエロー画素１８ｃの中央に正確に配置されることができるので、見えにくいことが可能である。また、異なる層のコレクタ領域が正方形画素を用いるアプローチと同程度に垂直に位置合わせされないので、遮光体が見えにくいことが可能である。
【００３７】
当業者は、本発明が決して上で記載された好適な実施例に限定されないことに気が付く。それどころか、多くの修正例及び変形例が、添付の請求項の範囲内で可能である。例えば、電気泳動ディスプレイが記載されているとしても、異なる画素解像度を持つ異なる層を用いる本発明の解決法は、エレクトロウェッティング又はエレクトロクロミックディスプレイのような他のディスプレイに同等に適用されることができる。このようなディスプレイは既知である。また、ＣＭＹ／ＣＭＹＫディスプレイが記載されているとしても、異なる画素解像度を持つ異なる層を用いる本発明の解決法は、シアン−イエロー−ブラック−ディスプレイ又はシアン−オレンジ−ブラック−ディスプレイのような異なる原色を持つディスプレイに同等に適用されることができ、前記輝度を決定する黒は、シアン及びイエロー／オレンジより高い解像度を持つべきである。
【００３８】
本発明は、図面及び先の記載において詳細に図示及び記載されているが、このような図示及び記載は、説明用又は典型的と見なされるべきであり、限定的と見なされるべきではなく、本発明は、開示された実施例に限定されない。開示された実施例に対する変形例は、図面、開示及び添付の請求項の検討から請求項の発明を実施する当業者により理解及び達成されることができる。請求項において、単語"有する"は、他の要素を除外せず、不定冠詞"１つの"は複数を除外しない。特定の方策が相互に異なる従属請求項に列挙されるという単なる事実は、これらの方策の組み合わせが有利に使用されることができないことを示さない。請求項内の参照符号は、範囲を限定すると解釈されるべきでない。
【図１ａ】
0005654236.tif 000003
【図１ｂ】
0005654236.tif 000004
【図２ａ】
0005654236.tif 000005
【図２ｂ】
0005654236.tif 000006
【図３ａ】
0005654236.tif 000007
【図３ｂ】
0005654236.tif 000008
【図４ａ】
0005654236.tif 000009
【図４ｂ】
0005654236.tif 000010
【図４ｃ】
0005654236.tif 000011
【図４ｄ】
0005654236.tif 000012
【図５】
0005654236.tif 000013
【図６ａ】
0005654236.tif 000014
【図６ｂ】
0005654236.tif 000015
【図７】
0005654236.tif 000016